(57)【要約】【課題】本発明は、噴射孔から飛翔し、記録紙などの被記録媒体上に着弾する液体噴射用液体であって、ノズル近傍で乾燥しにくい水性の液体噴射用液体の提供を目的とする。【解決手段】液体噴射用液体において、液体噴射用液体全量に対する含有量が０．１〜５重量％であるβグルカンと、着色剤と、水と、水溶性有機溶剤とを含む、という特徴を採用する。【選択図】図１
2017025224.tif 000002
【特許請求の範囲】
【請求項１】
液体噴射用液体全量に対して０．１〜５重量％のβグルカンと、着色剤と、水と、水溶性有機溶剤とを含む液体噴射用液体。
【請求項２】
前記βグルカンが、β−１，３−グルカン、β−１，４−グルカン、β−１，３−１，４−グルカン、β−１，３−１，６−グルカンから選択されることを特徴とする請求項１に記載の液体噴射用液体。
【請求項３】
請求項１または２に記載の液体噴射用液体を使用する液体噴射ヘッドであって、圧電素子によって形成されたアクチュエータープレートと、前記アクチュエータープレートに液体を供給する液体室が形成された液体室プレートとを有することを特徴とする液体噴射ヘッド。
【請求項４】
請求項３に記載の液体噴射ヘッドを有する液体噴射記録装置であって、
被記録媒体を搬送する一対の搬送手段と、前記液体噴射ヘッドに液体噴射用液体を供給する液体供給手段と、
前記液体噴射ヘッドを被記録媒体の搬送方向と略直交する方向に走査させる走査手段とを備えることを特徴とする液体噴射記録装置。
【発明の詳細な説明】
【技術分野】
【０００１】
本発明は、噴射孔から飛翔し、記録紙などの被記録媒体上に着弾する液体噴射用液体であって、ノズル近傍で乾燥しにくい水性の液体噴射用液体、その液体を用いた液体噴射ヘッド及び液体噴射記録装置に関する。
【背景技術】
【０００２】
近年の液体噴射記録（インクジェット記録）方式は、印刷版を用意する必要のある印刷方式と異なり、一台の機械で様々なパターンを印字できることから、例えば梱包剤やポスター、車体のラッピングなど幅広い分野での利用が可能なものである。
【０００３】
従来、液体噴射記録方式としてはコンティニュアスタイプとオンデマンドタイプの２つの方式に大別することができる。コンティニュアスタイプは、例えば、液体噴射用液体（インク）を粒子状にして噴射し、帯電させた液体噴射用液体粒子の進行経路に電界を形成することにより、液体噴射用液体粒子を偏向させて対象物に記録することができるものなどが挙げられる。また、オンデマンドタイプは、例えば、液体噴射ヘッド（インクジェットヘッド）の噴射孔（ノズル）から画像に応じて液体噴射用液体を吐出させて、紙、フィルム、布帛等の被記録媒体に印字を行うものなどが挙げられる。
【０００４】
これらの液体噴射記録の長所としては、直接記録であるためにプロセスが簡単であることに加えて、インパクト方式ではないために無騒音である、カラー化が容易である、高速記録が可能である、普通紙が使用できるため低ランニングコストである、微小液体噴射用液滴を吐出させるために高解像度の記録が可能である等の優れた特徴が挙げられる（特許文献１）。
【０００５】
さらに、近年では省エネルギー、省資源への取り組みに関連して、液体噴射用液体に使用する材料についても脱石油資源化への取り組みが広がっており、環境にやさしい水性の液体噴射用液体が盛んに開発されている。
【０００６】
しかし、水性の液体噴射用液体は非水性のものに比べてノズル近傍で乾燥しやすく、これが原因となりノズル抜け等の印刷画質の劣化を招くことが課題となっている。そこで、乾燥を防止する方法として、保湿剤としてグリセリンやエチレングリコールなどの水溶性有機溶剤を配合する技術が多数提案されている（特許文献２〜３）。
【先行技術文献】
【特許文献】
【０００７】
【特許文献１】特開平５−０６５４４３号公報
【特許文献２】特開２０１３−１９９６０３号公報
【特許文献３】特開２０１３−１３９５２４号公報
【発明の概要】
【発明が解決しようとする課題】
【０００８】
しかしながら、特許文献２〜３のような技術においてもなお、ノズル近傍での乾燥が完全には防止できず、結果的に印刷画質の劣化を招くことがある。
本発明は、噴射孔から飛翔し、記録紙などの被記録媒体上に着弾する液体噴射用液体であって、ノズル近傍で乾燥しにくい水性の液体噴射用液体の提供を目的とする。
【課題を解決するための手段】
【０００９】
上記目的を達成するために、本発明の液体噴射用液体は以下の手段を採用している。
本発明は、液体噴射用液体全量に対する含有量が０．１〜５重量％であるβグルカンと、着色剤と、水と、水溶性有機溶剤とを含む、という特徴を採用する。
この構成によれば、βグルカンがもつ高い保湿効果により、ノズル面を長時間空気にさらしてもインクが乾燥しにくくなり、乾燥によるノズル抜け等の印刷画質の劣化を防止することができる。
【００１０】
前記βグルカンは、β−１，３−グルカン、β−１，４−グルカン、β−１，３−１，４−グルカン、β−１，３−１，６−グルカンから選択されることを特徴とし、βグルカンが液体噴射用液体全量に対して０．１〜５重量％含まれる、という構成を採用する。
βグルカンの添加量は、液体噴射用液体全量に対して、０．１〜５重量％とすることが望ましい。０．１重量％以下では保湿効果は十分に発揮されず、ノズルでのインク乾燥を防止することは難しい。また、５重量％以上添加しても、保湿効果は向上しないうえに、βグルカンがインク中の他の成分と相溶しにくくなり、インクの保存性が不安定になるため、これ以上の添加を要しない。
【００１１】
また、本発明に係る液体噴射用液体を使用する液体噴射ヘッドは、圧電素子によって形成されたアクチュエータープレートと、前記アクチュエータープレートに液体を供給する液体室が形成された液体室プレートとを有することを特徴としている。
この構成によれば、本発明に係る液体噴射用液体を液体噴射ヘッドを用いて被記録媒体に噴射し、所望の印字及び記録等の作業を実施することができる。
【００１２】
また、本発明に係る液体噴射ヘッドを有する液体噴射記録装置は、被記録媒体を搬送する一対の搬送手段と、前記液体噴射ヘッドに液体噴射用液体を供給する液体供給手段と、前記液体噴射ヘッドを被記録媒体の搬送方向と略直交する方向に走査させる走査手段とを備えることを特徴としている。
この構成によれば、本発明に係る液体噴射ヘッドを液体噴射記録装置に搭載することができる。この構成を採用したことによって、液体噴射用液体を供給する手段を備え、被記録媒体に連続的に液体噴射用液体を噴射し、所望の印字及び記録等の作業を実施することができる。
【発明の効果】
【００１３】
液体噴射用液体にβグルカンを添加することによって、ノズル近傍でのインク乾燥を防止する。
βグルカンは、Ｄ−グルコースを構成糖とする多糖類であり、穀物類、酵母類、微生物類などをはじめ多くの生物体から抽出される成分である。このβグルカンは保湿効果に優れており、これを配合した化粧水も多く知られている。結合様式の違いにより構造は数種類あり、主にβ−１，３−グルカン、β−１，４−グルカン、β−１，３−１，４−グルカン、β−１，３−１，６−グルカン等に分類される。
【００１４】
本発明に用いられるβグルカンは上記のうちどれでもよく、穀物類、酵母類、微生物類のいずれから抽出されるものでよい。
βグルカンの添加量を液体噴射用液体全量に対して０．１〜５重量％とすることで、インクの保湿効果を十分に向上することができ、乾燥によるノズル抜け等の印刷画質の劣化を防止することができる。
【図面の簡単な説明】
【００１５】
【図１】本発明の実施例の含有成分を示す図である。
【図２】本発明の比較例の含有成分を示す図である。
【図３】本発明の実施例の評価を示す図である。
【図４】本発明の比較例の評価を示す図である。
【図５】本発明の液体噴射記録装置における液体噴射ヘッドを示す斜視図である。
【発明を実施するための形態】
【００１６】
着色剤としては、従来の水性インク組成物で使用される公知の染料又は顔料を使用できる。
染料としては、ジャパノールファストブラックＤコンク（Ｃ．Ｉ．ダイレクトブラック１７）、ウォーターブラック１００Ｌ（Ｃ．Ｉ．ダイレクトブラック１９）、ウォーターブラックＬ−２００（Ｃ．Ｉ．ダイレクトブラック１９）、ダイレクトファストブラックＢ（Ｃ．Ｉ．ダイレクトブラック２２）、ダイレクトファストブラックＡＢ（Ｃ．Ｉ．ダイレクトブラック３２）、ダイレクトディープブラックＥＸ（Ｃ．Ｉ．ダイレクトブラック３８）、ダイレクトファストブラックコンク（Ｃ．Ｉ．ダイレクトブラック５１）、カヤラススプラグレイＶＧＮ（Ｃ．Ｉ．ダイレクトブラック７１）、カヤラスダイレクトブリリアントエローＧ（Ｃ．Ｉ．ダイレクトエロー４）、ダイレクトファストエロー５ＧＬ（Ｃ．Ｉ．ダイレクトエロー２６）、アイゼンプリムラエローＧＣＬＨ（Ｃ．Ｉ．ダイレクトエロー４４）、ダイレクトファストエローＲ（Ｃ．Ｉ．ダイレクトエロー５０）、アイゼンダイレクトファストレッドＦＨ（Ｃ．Ｉ．ダイレクトレッド１）、ニッポンファストスカーレットＧＳＸ（Ｃ．Ｉ．ダイレクトレッド４）、ダイレクトファストスカーレット４ＢＳ（Ｃ．Ｉ．ダイレクトレッド２３）、アイゼンダイレクトローデュリンＢＨ（Ｃ．Ｉ．ダイレクトレッド３１）、ダイレクトスカーレットＢ（Ｃ．Ｉ．ダイレクトレッド３７）、カヤクダイレクトスカーレット３Ｂ（Ｃ．Ｉ．ダイレクトレッド３９）、アイゼンプリムラピンク２ＢＬＨ（Ｃ．Ｉ．ダイレクトレッド７５）、スミライトレッドＦ３Ｂ（Ｃ．Ｉ．ダイレクトレッド８０）、アイゼンプリムラレッド４ＢＨ（Ｃ．Ｉ．ダイレクトレッド８１）、カヤラススプラルビンＢＬ（Ｃ．Ｉ．ダイレクトレッド８３）、カヤラスライトレッドＦ５Ｇ（Ｃ．Ｉ．ダイレクトレッド２２５）、カヤラスライトレッドＦ５Ｂ（Ｃ．Ｉ．ダイレクトレッド２２６）、カヤラスライトローズＦＲ（Ｃ．Ｉ．ダイレクトレッド２２７）、ダイレクトスカイブルー６Ｂ（Ｃ．Ｉ．ダイレクトブルー１）、ダイレクトスカイブルー５Ｂ（Ｃ．Ｉ．ダイレクトブルー１５）、スミライトスプラブルーＢＲＲコンク（Ｃ．Ｉ．ダイレクトブルー７１）、ダイボーゲンターコイズブルーＳ（Ｃ．Ｉ．ダイレクトブルー８６）、ウォーターブルー＃３（Ｃ．Ｉ．ダイレクトブルー８６）、カヤラスターコイズブルーＧＬ（Ｃ．Ｉ．ダイレクトブルー８６）、カヤラススプラブルーＦＦ２ＧＬ（Ｃ．Ｉ．ダイレクトブルー１０６）、カヤラススプラターコイズブルーＦＢＬ（Ｃ．Ｉ．ダイレクトブルー１９９）等の直接染料；
アシッドブルーブラック１０Ｂ（Ｃ．Ｉ．アシッドブラック１）、ニグロシン（Ｃ．Ｉ．アシッドブラック２）、スミノールミリングブラック８ＢＸ（Ｃ．Ｉ．アシッドブラック２４）、カヤノールミリングブラックＶＬＧ（Ｃ．Ｉ．アシッドブラック２６）、スミノールファストブラックＢＲコンク（Ｃ．Ｉ．アシッドブラック３１）、ミツイナイロンブラックＧＬ（Ｃ．Ｉ．アシッドブラック５２）、アイゼンオパールブラックＷＨエクストラコンク（Ｃ．Ｉ．アシッドブラック５２）、スミランブラックＷＡ（Ｃ．Ｉ．アシッドブラック５２）、ラニルブラックＢＧエクストラコンク（Ｃ．Ｉ．アシッドブラック１０７）、カヤノールミリングブラックＴＬＢ（Ｃ．Ｉ．アシッドブラック１０９）、スミノールミリングブラックＢ（Ｃ．Ｉ．アシッドブラック１０９）、カヤノールミリングブラックＴＬＲ（Ｃ．Ｉ．アシッドブラック１１０）、アイゼンオパールブラックニューコンク（Ｃ．Ｉ．アシッドブラック１１９）、ウォーターブラック１８７−Ｌ（Ｃ．Ｉ．アシッドブラック１５４）、カヤクアシッドブリリアントフラビンＦＦ（Ｃ．Ｉ．アシッドエロー７：１）、カヤシルエローＧＧ（Ｃ．Ｉ．アシッドエロー１７）、キシレンライトエロー２Ｇ１４０％（Ｃ．Ｉ．アシッドエロー１７）、スミノールレベリングエローＮＲ（Ｃ．Ｉ．アシッドエロー１９）、ダイワタートラジン（Ｃ．Ｉ．アシッドエロー２３）、カヤクタートラジン（Ｃ．Ｉ．アシッドエロー２３）、スミノールファストエローＲ（Ｃ．Ｉ．アシッドエロー２５）、ダイアシッドライトエロー２ＧＰ（Ｃ．Ｉ．アシッドエロー２９）、スミノールミリングエローＯ（Ｃ．Ｉ．アシッドエロー３８）、スミノールミリングエローＭＲ（Ｃ．Ｉ．アシッドエロー４２）、ウォーターエロー＃６（Ｃ．Ｉ．アシッドエロー４２）、カヤノールエローＮＦＧ（Ｃ．Ｉ．アシッドエロー４９）、スミノールミリングエロー３Ｇ（Ｃ．Ｉ．アシッドエロー７２）、スミノールファストエローＧ（Ｃ．Ｉ．アシッドエロー６１）、スミノールミリングエローＧ（Ｃ．Ｉ．アシッドエロー７８）、カヤノールエローＮ５Ｇ（Ｃ．Ｉ．アシッドエロー１１０）、スミノールミリングエロー４Ｇ２００％（Ｃ．Ｉ．アシッドエロー１４１）、カヤノールエローＮＧ（Ｃ．Ｉ．アシッドエロー１３５）、カヤノールミリングエロー５ＧＷ（Ｃ．Ｉ．アシッドエロー１２７）、カヤノールミリングエロー６ＧＷ（Ｃ．Ｉ．アシッドエロー１４２）、スミトモファストスカーレットＡ（Ｃ．Ｉ．アシッドレッド８）、カヤクシルクスカーレット（Ｃ．Ｉ．アシッドレッド９）、ソーラールビンエクストラ（Ｃ．Ｉ．アシッドレッド１４）、ダイワニューコクシン（Ｃ．Ｉ．アシッドレッド１８）、アイゼンボンソーＲＨ（Ｃ．Ｉ．アシッドレッド２６）、ダイワ赤色２号（Ｃ．Ｉ．アシッドレッド２７）、スミノールレベリングブリリアントレッドＳ３Ｂ（Ｃ．Ｉ．アシッドレッド３５）、カヤシルルビノール３ＧＳ（Ｃ．Ｉ．アシッドレッド３７）、アイゼンエリスロシン（Ｃ．Ｉ．アシッドレッド５１）、カヤクアシッドローダミンＦＢ（Ｃ．Ｉ．アシッドレッド５２）、スミノールレベリングルビノール３ＧＰ（Ｃ．Ｉ．アシッドレッド５７）、ダイアシッドアリザリンルビノールＦ３Ｇ２００％（Ｃ．Ｉ．アシッドレッド８２）、アイゼンエオシンＧＨ（Ｃ．Ｉ．アシッドレッド８７）、ウォーターピンク＃２（Ｃ．Ｉ．アシッドレッド９２）、アイゼンアシッドフロキシンＰＢ（Ｃ．Ｉ．アシッドレッド９２）、ローズベンガル（Ｃ．Ｉ．アシッドレッド９４）、カヤノールミリングスカーレットＦＧＷ（Ｃ．Ｉ．アシッドレッド１１１）、カヤノールミリングルビン３ＢＷ（Ｃ．Ｉ．アシッドレッド１２９）、スミノオールミリングブリリアントレッド３ＢＮコンク（Ｃ．Ｉ．アシッドレッド１３１）、スミノールミリングブリリアントレッドＢＳ（Ｃ．Ｉ．アシッドレッド１３８）、アイゼンオパールピンクＢＨ（Ｃ．Ｉ．アシッドレッド１８６）、スミノールミリングブリリアントレッドＢコンク（Ｃ．Ｉ．アシッドレッド２４９）、カヤクアシッドブリリアントレッド３ＢＬ（Ｃ．Ｉ．アシッドレッド２５４）、カヤクアシッドブリリドブリリアントレッドＢＬ（Ｃ．Ｉ．アシッドレッド２６５）、カヤノールミリングレッドＧＷ（Ｃ．Ｉ．アシッドレッド２７６）、ミツイアシッドバイオレット６ＢＮ（Ｃ．Ｉ．アシッドバイオレット１５）、ミツイアシッドバイオレットＢＮ（Ｃ．Ｉ．アシッドバイオレット１７）、スミトモパテントピュアブルーＶＸ（Ｃ．Ｉ．アシッドブルー１）、ウォーターブルー＃１０６（Ｃ．Ｉ．アシッドブルー１）、パテントブルーＡＦ（Ｃ．Ｉ．アシッドブルー７）、ウォーターブルー＃９（Ｃ．Ｉ．アシッドブルー９）、ダイワ青色１号（Ｃ．Ｉ．アシッドブルー９）、スプラノールブルーＢ（Ｃ．Ｉ．アシッドブルー１５）、オリエントソルブルブルーＯＢＣ（Ｃ．Ｉ．アシッドブルー２２）、スミノールレベリングブルー４ＧＬ（Ｃ．Ｉ．アシッドブルー２３）、ミツイナイロンファストブルーＧ（Ｃ．Ｉ．アシッドブルー２５）、カヤシルブルーＡＧＧ（Ｃ．Ｉ．アシッドブルー４０）、カヤシルブルーＢＲ（Ｃ．Ｉ．アシッドブルー４１）、ミツイアリザリンサフィロールＳＥ（Ｃ．Ｉ．アシッドブルー４３）、スミノールレベリングスカイブルーＲエクストラコンク（Ｃ．Ｉ．アシッドブルー６２）、ミツイナイロンファストスカイブルーＢ（Ｃ．Ｉ．アシッドブルー７８）、スミトモブリリアントインドシアニン６Ｂｈ／ｃ（Ｃ．Ｉ．アシッドブルー８３）、サンドランシアニンＮ−６Ｂ３５０％（Ｃ．Ｉ．アシッドブルー９０）、ウォーターブルー＃１１５（Ｃ．Ｉ．アシッドブルー９０）、オリエントソルブルブルーＯＢＢ（Ｃ．Ｉ．アシッドブルー９３）、スミトモブリリアントブルー５Ｇ（Ｃ．Ｉ．アシッドブルー１０３）、カヤノールミリングウルトラスカイＳＥ（Ｃ．Ｉ．アシッドブルー１１２）、カヤノールミリングシアニン５Ｒ（Ｃ．Ｉ．アシッドブルー１１３）、アイゼンオパールブルー２ＧＬＨ（Ｃ．Ｉ．アシッドブルー１５８）、ダイワギニアグリーンＢ（Ｃ．Ｉ．アシッドグリーン３）、アシッドブリリアントミリンググリーンＢ（Ｃ．Ｉ．アシッドグリーン９）、ダイワグリーン＃７０（Ｃ．Ｉ．アシッドグリーン１６）、カヤノールシアニングリーンＧ（Ｃ．Ｉ．アシッドグリーン２５）、スミノールミリンググリーンＧ（Ｃ．Ｉ．アシッドグリーン２７）等の酸性染料；
アイゼンカチロンイエロー３ＧＬＨ（Ｃ．Ｉ．ベーシックイエロー１１）、アイゼンカチロンブリリアントイエロー５ＧＬＨ（Ｃ．Ｉ．ベーシックイエロー１３）、スミアクリルイエローＥ−３ＲＤ（Ｃ．Ｉ．ベーシックイエロー１５）、マキシロンイエロー２ＲＬ（Ｃ．Ｉ．ベーシックイエロー１９）、アストラゾンイエロー７ＧＬＬ（Ｃ．Ｉ．ベーシックイエロー２１）、カヤクリルゴールデンイエローＧＬ−ＥＤ（Ｃ．Ｉ．ベーシックイエロー２８）、アストラゾンイエロー５ＧＬ（Ｃ．Ｉ．ベーシックイエロー５１）、アイゼンカチロンオレンジＧＬＨ（Ｃ．Ｉ．ベーシックオレンジ２１）、アイゼンカチロンブラウン３ＧＬＨ（Ｃ．Ｉ．ベーシックオレンジ３０）、ローダミン６ＧＣＰ（Ｃ．Ｉ．ベーシックレッド１）、アイゼンアストラフロキシン（Ｃ．Ｉ．ベーシックレッド１２）、スミアクリルブリリアントレッドＥ−２Ｂ（Ｃ．Ｉ．ベーシックレッド１５）、アストラゾンレッドＧＴＬ（Ｃ．Ｉ．ベーシックレッド１８）、アイゼンカチロンブリリアントピンクＢＧＨ（Ｃ．Ｉ．ベーシックレッド２７）、マキシロンレッドＧＲＬ（Ｃ．Ｉ．ベーシックレッド４６）、アイゼンメチルバイオレット（Ｃ．Ｉ．ベーシックバイオレット１）、アイゼンクリスタルバイオレット（Ｃ．Ｉ．ベーシックバイオレット３）、アイゼンローダミンＢ（Ｃ．Ｉ．ベーシックバイオレット１０）、アストラゾンブルーＧ（Ｃ．Ｉ．ベーシックブルー１）、アストラゾンブルーＢＧ（Ｃ．Ｉ．ベーシックブルー３）、メチレンブルー（Ｃ．Ｉ．ベーシックブルー９）、マキシロンブルーＧＲＬ（Ｃ．Ｉ．ベーシックブルー４１）、アイゼンカチロンブルーＢＲＬＨ（Ｃ．Ｉ．ベーシックブルー５４）、アイゼンダイヤモンドグリーンＧＨ（Ｃ．Ｉ．ベーシックグリーン１）、アイゼンマラカイトグリーン（Ｃ．Ｉ．ベーシックグリーン４）、ビスマルクブラウンＧ（Ｃ．Ｉ．ベーシックブラウン１）等の塩基性染料が例示できる。
【００１７】
顔料としては、アゾ系顔料、ニトロソ系顔料、ニトロ系顔料、塩基性染料系顔料、酸性染料系顔料、建て染め染料系顔料、媒染染料系顔料、天然染料系顔料等の有機系顔料；黄土、バリウム黄、紺青、カドミウムレッド、硫酸バリウム、酸化チタン、弁柄、鉄黒、カーボンブラック等の無機系顔料が例示でき、例えば、アニリンブラック（Ｃ．Ｉ．５０４４０）、シアニンブラック、ナフトールエローＳ（Ｃ．Ｉ．１０３１６）、ハンザエロー１０Ｇ（Ｃ．Ｉ．１１７１０）、ハンザエロー５Ｇ（Ｃ．Ｉ．１１６６０）、ハンザエロー３Ｇ（Ｃ．Ｉ．１１６７０）、ハンザエローＧ（Ｃ．Ｉ．１１６８０）、ハンザエローＧＲ（Ｃ．Ｉ．１１７３０）、ハンザエローＡ（Ｃ．Ｉ．１１７３５）、ハンザエローＲＮ（Ｃ．Ｉ．１１７４０）、ハンザエローＲ（Ｃ．Ｉ．１２７１０）、ピグメントエローＬ（Ｃ．Ｉ．１２７２０）、ベンジジンエロー（Ｃ．Ｉ．２１０９０）、ベンジジンエローＧ（Ｃ．Ｉ．２１０９５）、ベンジジンエローＧＲ（Ｃ．Ｉ．２１１００）、パーマネントエローＮＣＧ（Ｃ．Ｉ．２００４０）、バルカンファストエロー５Ｇ（Ｃ．Ｉ．２１２２０）、バルカンファストエローＲ（Ｃ．Ｉ．２１１３５）、タートラジンレーキ（Ｃ．Ｉ．１９１４０）、キノリンエローレーキ（Ｃ．Ｉ．４７００５）、アンスラゲンエロー６ＧＬ（Ｃ．Ｉ．６０５２０）、パーマネントエローＦＧＬ、パーマネントエローＨ１０Ｇ、パーマネントエローＨＲ、アンスラピリミジンエロー（Ｃ．Ｉ．６８４２０）、スダーンＩ（Ｃ．Ｉ．１２０５５）、パーマネントオレンジ（Ｃ．Ｉ．１２０７５）、リソールファストオレンジ（Ｃ．Ｉ．１２１２５）、パーマネントオレンジＧＴＲ（Ｃ．Ｉ．１２３０５）、ハンザエロー３Ｒ（Ｃ．Ｉ．１１７２５）、バルカンファストオレンジＧＧ（Ｃ．Ｉ．２１１６５）、ベンジジンオレンジＧ（Ｃ．Ｉ．２１１１０）、ペルシアンオレンジ（Ｃ．Ｉ．１５５１０）、インダンスレンブリリアントオレンジＧＫ（Ｃ．Ｉ．５９３０５）、インダンスレンブリリアントオレンジＲＫ（Ｃ．Ｉ．５９１０５）、インダンスレンブリリアントオレンジＧＲ（Ｃ．Ｉ．７１１０５）、パーマネントブラウンＦＧ（Ｃ．Ｉ．１２４８０）、パラブラウン（Ｃ．Ｉ．１２０７１）、パーマネントレッド４Ｒ（Ｃ．Ｉ．１２１２０）、パラレッド（Ｃ．Ｉ．１２０７０）、ファイヤーレッド（Ｃ．Ｉ．１２０８５）、パラクロルオルトアニリンレッド（Ｃ．Ｉ．１２０９０）、リソールファストスカーレット、ブリリアントファストスカーレット（Ｃ．Ｉ．１２３１５）、ブリリアントカーミンＢＳ、パーマネントレッドＦ２Ｒ（Ｃ．Ｉ．１２３１０）、パーマネントレッドＦ４Ｒ（Ｃ．Ｉ．１２３３５）、パーマネントレッドＦＲＬ（Ｃ．Ｉ．１２４４０）、パーマネントレッドＦＲＬＬ（Ｃ．Ｉ．１２４６０）、パーマネントレッドＦ４ＲＨ（Ｃ．Ｉ．１２４２０）、ファストスカーレットＶＤ、バルカンファストルビンＢ（Ｃ．Ｉ．１２３２０）、バルカンファストピンクＧ（Ｃ．Ｉ．１２３３０）、ライトファストレッドトーナーＢ（Ｃ．Ｉ．１２４５０）、ライトファストレッドトーナーＲ（Ｃ．Ｉ．１２４５５）、パーマネントカーミンＦＢ（Ｃ．Ｉ．１２４９０）、ピラゾロンレッド（Ｃ．Ｉ．１２１２０）、リソールレッド（Ｃ．Ｉ．１５６３０）、レーキレッドＣ（Ｃ．Ｉ．１５５８５）、レーキレッドＤ（Ｃ．Ｉ．１５５００）、アンソシンＢ（Ｃ．Ｉ．１８０３０）、ブリリアントスカーレットＧ（Ｃ．Ｉ．１５８００）、リソールルビンＧＫ（Ｃ．Ｉ．１５８２５）、パーマネントレッドＦ５Ｒ（Ｃ．Ｉ．１５８６５）、ブリリアントカーミン６Ｂ（Ｃ．Ｉ．１５８５０）、ピグメントスカーレット３Ｂ（Ｃ．Ｉ．１６１０５）、ボルドー５Ｂ（Ｃ．Ｉ．１２１７０）、トルイジンマルーン（Ｃ．Ｉ．１２３５０）、パーマネントボルドーＦ２Ｒ（Ｃ．Ｉ．１２３８５）、ヘリオボルドーＢＬ（Ｃ．Ｉ．１４８３０）、ボルドー１０Ｂ（Ｃ．Ｉ．１５８８０）、ボンマルーンライト（Ｃ．Ｉ．１５８２５）、ボンマルーンメジウム（Ｃ．Ｉ．１５８８０）、エオシンレーキ（Ｃ．Ｉ．４５３８０）、ローダミンレーキＢ（Ｃ．Ｉ．４５１７０）、ローダミンレーキＹ（Ｃ．Ｉ．４５１６０）、アリザリンレーキ（Ｃ．Ｉ．５８０００）、チオインジゴレッドＢ（Ｃ．Ｉ．７３３００）、チオインジゴマルーン（Ｃ．Ｉ．７３３８５）、パーマネントレッドＦＧＲ（Ｃ．Ｉ．１２３７０）、ＰＶカーミンＨＲ、ワッチングレッド，モノライトファストレッドＹＳ（Ｃ．Ｉ．５９３００）、パーマネントレッドＢＬ、ファストバイオレットＢ、メチルバイオレットレーキ（Ｃ．Ｉ．４２５３５）、ジオキサジンバイオレット、アルカリブルーレーキ（Ｃ．Ｉ．４２７５０Ａ、Ｃ．Ｉ．４２７７０Ａ）、ピーコックブルーレーキ（Ｃ．Ｉ．４２０９０）、ピーコックブルーレーキ（Ｃ．Ｉ．４２０２５）、ビクトリアブルーレーキ（Ｃ．Ｉ．４４０４５）、フタロシアニンブルー（Ｃ．Ｉ．７４１６０）、ファストスカイブルー（Ｃ．Ｉ．７４１８０）、インダンスレンブルーＲＳ（Ｃ．Ｉ．６９８００）、インダンスレンブルーＢＣ（Ｃ．Ｉ．６９８２５）、インジゴ（Ｃ．Ｉ．７３０００）、ピグメントグリーンＢ（Ｃ．Ｉ．１０００６）、ナフトールグリーンＢ（Ｃ．Ｉ．１００２０）、グリーンゴールド（Ｃ．Ｉ．１２７７５）、アシッドグリーンレーキ、マラカイトグリーンレーキ（Ｃ．Ｉ．４２０００）、フタロシアニングリーン等が例示できる。
【００１８】
さらに、上記以外の加工顔料としては、Ｒｅｎｏｌ  Ｙｅｌｌｏｗ  ＧＧ−ＨＷ３０、Ｒｅｎｏｌ  Ｙｅｌｌｏｗ  ＨＲ−ＨＷ３０、Ｒｅｎｏｌ  Ｏｒａｎｇｅ  ＲＬ−ＨＷ３０、Ｒｅｎｏｌ  Ｒｅｄ  ＨＦ２Ｂ−ＨＷ３０、Ｒｅｎｏｌ  Ｒｅｄ  ＦＧＲ−ＨＷ３０、Ｒｅｎｏｌ  Ｒｅｄ  Ｆ５ＲＫ−ＨＷ３０、Ｒｅｎｏｌ  Ｃａｒｍｉｎｅ  ＦＢＢ−ＨＷ３０、Ｒｅｎｏｌ  Ｖｉｏｌｅｔ    ＲＬ−ＨＷ３０、Ｒｅｎｏｌ  Ｂｌｕｅ  Ｂ２Ｇ−ＨＷ３０、Ｒｅｎｏｌ  Ｂｌｕｅ  ＣＦ−ＨＷ３０、Ｒｅｎｏｌ  ＧｒｅｅｎＧＧ−ＨＷ３０、Ｒｅｎｏｌ  Ｂｒｏｗｎ  ＨＦＲ−ＨＷ３０、Ｒｅｎｏｌ  ＢｌａｃｋＲ−ＨＷ３０（以上、クラリアントジャパン株式会社製）、ＵＴＣＯ−００１エロー、ＵＴＣＯ−０１２エロー、ＵＴＣＯ−０２１オレンジ、ＵＴＣＯ−０３１レッド、ＵＴＣＯ−０３２レッド、ＵＴＣＯ−０４２バイオレット、ＵＴＣＯ−０５１ブルー、ＵＴＣＯ−０５２ブルー、ＵＴＣＯ−０６１グリーン、ＵＴＣＯ−５９１ブラック、ＵＴＣＯ−５９２ブラック（以上、大日精化工業株式会社製）、ＭＩＣＲＯＬＩＴＨ  Ｙｅｌｌｏｗ  ４Ｇ−Ａ、ＭＩＣＲＯＬＩＴＨ  Ｙｅｌｌｏｗ  ＭＸ−Ａ、ＭＩＣＲＯＬＩＴＨ  Ｙｅｌｌｏｗ  ２Ｒ−Ａ、ＭＩＣＲＯＬＩＴＨ  Ｂｒｏｗｎ５Ｒ−Ａ、Ｓｃａｒｌｅｔ  Ｒ−Ａ、Ｒｅｄ２Ｃ−Ａ、Ｒｅｄ３Ｒ−Ａ、Ｍａｇｅｎｔａ２Ｂ−Ａ、ＶｉｏｌｅｔＢ−Ａ、Ｂｌｕｅ４Ｇ−Ａ、ＧｒｅｅｎＧ−Ａ（以上、チバスペシャリティケミカルズ株式会社製）等が例示できる。
【００１９】
また、顔料として、あらかじめ水分散性を付与された市販品も使用できる。水分散性顔料として、より具体的には、キャボジェットシリーズ（キャボットコーポレーション製）、ｕｎｉｓｐｅｒｓｅシリーズ（チバスペシャリティケミカルズ株式会社製）、ＳＡＮＤＹＥシリーズ（山陽色素株式会社製）、Ｔ−ＡＸシリーズ（東亜合成株式会社製）、ＭＦカラーシリーズ（大日精化工業株式会社製）、ポルックスシリーズ（住化カラー株式会社製）、ＮＫＷシリーズ（日本蛍光化学株式会社製）、ＳＷ−１００シリーズ（シンロイヒ株式会社製）等が例示できる。
【００２０】
本発明の液体噴射用液体の着色剤に顔料を用いる場合には、顔料の分散性向上の為に、分散剤を使用してもよい。前記分散剤としては、高分子分散剤、アニオン系もしくはノニオン系の界面活性剤など、一般に顔料の分散剤として用いられるものが使用できる。一例として、高分子分散剤として、ポリアクリル酸、スチレン−アクリル酸共重合体、スチレン−マレイン酸共重合体、スチレン−無水マレイン酸共重合体、スチレン−メタクリル酸共重合体、アクリル酸−アクリロニトリル共重合体、ビニルナフタレン−アクリル酸共重合体、ビニルナフタレン−マレイン酸共重合体などの合成高分子等が挙げられる。
【００２１】
また、界面活性剤として、アルキル硫酸エステル塩、α−オレフィンスルホン酸塩、ポリオキシエチレンアルキルエーテル硫酸塩、アルキルベンゼンスルホン酸塩、Ｎ−アシルアミノ酸及びその塩、Ｎ−アシルメチルタウリン塩、アルキルスルホカルボン酸塩、ナフタレンスルホン酸塩、ナフタレンスルホン酸ホルマリン縮合物のナトリウム塩、アルキルリン酸塩、ポリオキシエチレンアルキルエーテルリン酸エステル塩などのアニオン性界面活性剤、ポリオキシエチレンアルキルエーテル類、ソルビタンアルキルエステル類、ポリオキシエチレンソルビタンアルキルエステル類等のノニオン性界面活性剤が挙げられる。これら高分子分散剤及び界面活性剤は、その１種または２種以上を選択し、併用しても使用できる。その使用量は、少ない場合は添加する目的である分散効果が弱く、多い場合は液体噴射用液体中の各組成物の溶解バランスを崩してしまい各種不具合が発生する懸念があるため、液体噴射用液体全量に対して０．１重量％以上１５重量％以下が好ましい。
【００２２】
βグルカンは、β−１，３−グルカン、β−１，４−グルカン、β−１，３−１，４−グルカン、β−１，３−１，６−グルカン選択されるものであれば、特に制限は受けない。
【００２３】
βグルカンの抽出方法に制限はなく、抽出原料に溶媒を添加することで抽出する。抽出溶媒は、水、水溶液、水溶性有機溶剤等の１種または２種以上を選択することができる。βグルカン抽出物は溶媒に溶解した状態のものでも、それをさらに公知の方法で濃縮したものでもよく、その形態は問わない。
【００２４】
保湿剤としての効果を十分に発揮することと、過剰な添加を防ぐためには、βグルカンの添加量を液体噴射用液体全量に対して０．１〜５重量％となるように添加することが望ましい。
また、水溶性有機溶剤は、以下のものが例示されるが、これらに限定されるものではない。
【００２５】
例えば、エチレングリコール、ジエチレングリコール、トリエチレングリコール、プロピレングリコール、ジプロピレングリコール、トリプロピレングリコール、ブチレングリコール、チオジグリコール、ヘキシレングリコール等のアルキレングリコール類、ポリエチレングリコール、ポリプロピレングリコール等のポリアルキレングリコール類、グリセリン、１、３−ペンタンジオール、１、５−ペンタンジオール、１、３−ブタンジオール等の多価アルコール類、メチルアルコール、エチルアルコール、イソプロピルアルコール等の低級アルコール類、２−ピロリドン、Ｎ−メチル−２−ピロリドン、１、３−ジメチルイミダゾリジノン、ε−カプロラクタム等の含窒素複素環化合物類、エチレングリコールメチルエーテル、エチレングリコールエチルエーテル、エチレングリコールブチルエーテル、エチレングリコール−n−プロピルエーテル、ジエチレングリコールメチルエーテル、ジエチレングリコールエチルエーテル、ジエチレングリコールブチルエーテル、ジエチレングリコール−n−プロピルエーテル、ジエチレングリコール−n−ブチルエーテル、トリエチレングリコールメチルエーテル、テトラエチレングリコールメチルエーテル等のグリコールエーテル類が挙げられる。これらの水溶性有機溶剤は、単独または２種以上を併用することができる。
【００２６】
水溶性有機溶剤は、本発明が掲げる課題にもあるとおり、ノズル近傍におけるインクの乾燥を防止する目的で含有される。また、メディア定着後の浸透を調整する目的でも含有される。その添加量は、液体噴射用液体全量に対して５重量％〜４０重量％とすることが好ましい。
【００２７】
本発明のインク組成物は、上記で説明した以外に、必要に応じてその他の添加剤を含有していても良い。前記その他の添加剤としては、例えば、消泡剤、防腐剤、酸化防止剤、防錆剤、発色助剤等の公知の添加剤が例示できる。
また、本発明のインク組成物において、βグルカン、着色剤、分散剤、水溶性有機溶剤、その他添加剤以外の残部は水である。
【００２８】
液体噴射用液体を製造する方法は、液体噴射用液体組成物の製造方法としては従来知られている種々の方法が採用できる。例えば、ボールミル、ビーズミル、ロールミル、ヘンシェルミキサー、プロペラ撹拌機、ホモジナイザー、ホモミキサー、ニーダー等の装置を使用して作ることが出来る。更に濾過や遠心分離を行い粗大粒子や気体を除いても良い。製造時に加熱や冷却、加圧や減圧、不活性ガス置換をしても良い。また、内容物の溶解や分散を促進するため、液体噴射用液体自体を加熱放置したり、過熱しながら撹拌や分散したりすることも、液体噴射用液体の内容物の溶解や分散上好ましいことである。また、製造した液体噴射用液体を温度の低い状態（０〜３０℃）で保管したりすることは、インキ組成物の経時性能を劣化させないためにも好ましい。これらはそれぞれ単独で使用しても良いし、組み合わせて使用しても良い。
【００２９】
〔実施例〕
以下、本発明を実施例により詳細に説明する。実施例中の各成分を含有している箇所にのみ、図１において数字を記載している。実施例中の数字は「重量部」を示す。
【００３０】
〔比較例〕
次に、比較例を示す。比較例中の各成分を含有している箇所にのみ、図２において数字を記載している。図２において、−（ハイフン）で示す箇所は、その成分が含有されていないことを示す。比較例中の数字は「重量部」を示す。
【００３１】
〔組成成分〕
図１、図２の組成成分について、その詳細を説明する。
図１に示すように、実施例１〜２はそれぞれ、水溶性有機溶剤として、ジエチレングリコールを含有し、主溶媒として水を含有し、βグルカンとしてβ−１，３−１，６−グルカンを含有し、着色剤としてキャボジェット３００ブラック（顔料：１５重量％）を含有し、分散剤としてジョンクリル７１１（アクリル系樹脂）を含有している。
【００３２】
図２に示すように、比較例１〜３はそれぞれ、実施例１〜２と同じく水溶性有機溶剤として、ジエチレングリコールを含有し、主溶媒として水を含有し、着色剤としてキャボジェット３００ブラック（顔料：１５重量％）を含有し、分散剤としてジョンクリル７１１（アクリル系樹脂）を含有している。ただし、比較例１はβグルカンを含まない。比較例２はβグルカンを含んでいるが、含有量が実施例１，２に比較して少ない。比較例３はβグルカンを含んでいるが、含有量が実施例１，２に比較して多い。
【００３３】
キャボジェット３００ブラックは、カーボンブラック顔料が１５重量％である（キャボットコーポレーション製）。ジョンクリル７１１は、アクリル系樹脂である（ＢＡＳＦジャパン株式会社製）。
【００３４】
実施例１〜２で得た液体噴射用液体の金属部材に対する耐性、出射性、保存安定性の評価結果を図３において記載している。また、比較例１〜３で得た液体噴射用液体の評価結果を図４において記載している。保存安定性は、初期値からの粘度の変化量を示している。
【００３５】
（インク乾燥性）
実施例１〜２、比較例１〜３の液体噴射用液体を時計皿に滴下し、４５℃で３時間保管した。その後、滴下した液体噴射用液体の真ん中を分断するように針金で線を引き、乾燥によるインクの固化が起きていないかを確認した。
○：乾燥しておらず、インクが流動的である
△：表面は乾燥しているが、析出物が局所的に生成されている
×：乾燥によりインクが固化し、針金で線を入れたところからインクを分断できる
実施例１〜２および比較例３は、βグルカンを０．１％以上含んでいるため、インクの乾燥は起きなかった。
【００３６】
比較例１は、βグルカンを含まないため、インクが乾燥し、析出物が金属部材の表面全体に確認された。
比較例２は、βグルカンを含んでいるものの、下限値を下回っているため、インクの乾燥が見られ、析出物が僅かに確認された。
【００３７】
（出射性）
実施例１〜２、比較例１〜３の液体噴射用液体を液体噴射用装置に搭載し、３６０ｄｐｉ、駆動周波数１４ｋＨｚの条件でポリエステル生地に印字した。全ノズル正常に吐出できることを確認した後、室温空間中で３０分間、非吐出の状態で液体噴射記録装置を放置した。３０分経過後、再度印字し、ノズル抜けの有無を目視で確認する。
○：３０分間放置後も、全ノズルにおいて正常に出射している
△：３０分間放置後、１〜５個のノズルにおいて、抜けが確認される
×：３０分間放置後、半数以上のノズルにおいて、抜けが確認される
実施例１および２は、βグルカンを０．１％以上含んでいるため、全ノズル数において出射性に異常が見られなかった。
【００３８】
比較例１は、βグルカンを含まないため、放置中にノズル面が乾燥し、出射性に異常が見られたと考えられる。
比較例２は、βグルカンを含んでいるものの、下限値を下回っているため、出射性に僅かな異常が見られたと考えられる。
比較例３は、βグルカンを過剰に含んでいるため、出射性に僅かな異常が見られたと考えられる。
【００３９】
（保存安定性）
実施例１〜２、比較例１〜３の液体噴射用液体をガラス瓶に入れ、４５℃で１ヶ月静置後、粘度を測定し、初期値と比較した。
○：初期値からの粘度増減が±２．０ｍＰａ・ｓ未満である
×：初期値からの粘度増減が±２．０ｍＰａ・ｓ以上である
実施例１〜２、比較例１〜２は、βグルカンの含有量が上限値を下回っているため、粘度の変化量に異常は見られなかった。
【００４０】
比較例３は、βグルカンを過剰に含んでいるため、他成分との相溶性が悪くなり、粘度が大きく変化した。液体の粘度が大きく変化すると、液体噴射ヘッドから吐出する場合にインク滴が正常に形成されず、ノズル孔の近傍で飛沫が発生したり、抜けが発生したりしてしまうという問題が有るため、液体噴射用の液体としては適切ではない。
【００４１】
以下、本発明の液体噴射用液体を使用する液体噴射ヘッド、および液体噴射ヘッドを搭載した液体噴射記録装置について図５を参照して説明する。
図５は、本実施形態の液体噴射記録装置の概略構成を示す斜視図である。図５に示すように、液体噴射記録装置１は、紙等の被記録媒体Ｓを搬送する一対の搬送手段２、３と、被記録媒体Ｓに液体を噴射する液体噴射ヘッド４と、液体噴射ヘッド４に液体を供給する液体供給手段５と、液体噴射ヘッド４を被記録媒体Ｓの搬送方向（主走査方向）と略直交する方向（副走査方向）に走査させる走査手段６とを備えている。また図示していないが、液体噴射記録装置１は搬送手段２、３、液体噴射ヘッド４、液体供給手段５、及び走査手段６などに対して制御信号を送受信して制御する制御部１００を備えている。以下、副走査方向をＸ方向、主走査方向をＹ方向、そしてＸ方向およびＹ方向にともに直交する方向をＺ方向として説明する。
【００４２】
一対の搬送手段２、３は、それぞれ副走査方向に延びて設けられたグリッドローラ２Ａ、３Ａと、グリッドローラ２Ａ、３Ａのそれぞれに平行に延びるピンチローラ２Ｂ、３Ｂと、詳細は図示しないがグリッドローラ２Ａ、３Ａを軸回りに回転動作させるモータ等の駆動機構とを備えている。
【００４３】
液体供給手段５は、液体噴射用液体が収容された液体収容体１０と、液体収容体１０と液体噴射ヘッド４とを接続する液体供給管１１とを備えている。液体収容体１０は、複数備えられており、具体的には、イエロー、マゼンタ、シアン、ブラックの４種類の液体噴射用液体が収容された液体タンク１０Ｙ、１０Ｍ、１０Ｃ、１０Ｂが並べて設けられている。液体貯留容器である液体タンク１０Ｙ、１０Ｍ、１０Ｃ、１０Ｂのそれぞれには図示しないポンプモーターＭが設けられており、液体供給管を通じて液体を液体噴射ヘッド４へ押圧移動できる。液体供給管１１は、液体噴射ヘッド４（キャリッジユニット１６）の動作に対応可能な可撓性を有するフレキシブルホースからなる。
【００４４】
走査手段６は、副走査方向（Ｘ方向）に延びて設けられた一対のガイドレール１５と、一対のガイドレール１５に沿って摺動可能なキャリッジユニット１６と、キャリッジユニット１６を副走査方向に移動させる駆動機構１７と、を備えている。駆動機構１７は、一対のガイドレール１５の間に配置された一対のプーリ１８と、一対のプーリ１８間に巻回された無端ベルト１９と、一方のプーリ１８を回転駆動させる駆動モータ２０とを備えている。
【００４５】
一対のプーリ１８は、一対のガイドレール１５の両端部間にそれぞれ配置されており、副走査方向に間隔をあけて配置されている。無端ベルト１９は一対のガイドレール１５間に配置されており、この無端ベルトにはキャリッジユニット１６が連結されている。キャリッジユニット１６の基端部には複数の液体噴射ヘッド４が搭載されており、具体的には、イエロー、マゼンタ、シアン、ブラックの４種類の液体噴射用液体に個別に対応する液体噴射ヘッド４Ｙ、４Ｍ、４Ｃ、４Ｂが副走査方向に並んで搭載されている。
【００４６】
液体噴射記録装置１のキャリッジユニット１６には、液体噴射ヘッド４が、長手方向（Ｙ方向）を主走査方向に一致させ、短手方向（Ｘ方向）を副走査方向に一致させて搭載されている。またキャリッジユニット１６には、複数の液体噴射ヘッド４がＸ方向に並んで搭載されている。そして、被記録媒体ＳをＹ方向に搬送し、キャリッジユニット１６をＸ方向に移動させつつ、液体噴射ヘッド４から液体噴射用液体を噴射する事で、被記録媒体に記録を行うようになっている。
【００４７】
液体噴射ヘッド４は、圧電素子によって形成された不図示のアクチュエータープレートと、当該アクチュエータープレートに液体を供給する液体室が形成された不図示の液体室プレートとによって構成されている。
【００４８】
液体噴射記録装置１のキャリッジユニット１６には、液体噴射ヘッド４が、長手方向（Ｙ方向）を主走査方向に一致させ、短手方向（Ｘ方向）を副走査方向に一致させて搭載されている。またキャリッジユニット１６には、複数の液体噴射ヘッド４がＸ方向に並んで搭載されている。そして、被記録媒体ＳをＹ方向に搬送し、キャリッジユニット１６をＸ方向に移動させつつ、液体噴射ヘッド４から液体噴射用液体を噴射することで、被記録媒体に記録を行うようになっている。
【符号の説明】
【００４９】
１  液体噴射記録装置
２  搬送手段
４、４Ｃ、４Ｙ、４Ｍ、４Ｂ  液体噴射ヘッド
Ｓ  被記録媒体
【図１】
2017025224.tif 000003
【図２】
2017025224.tif 000004
【図３】
2017025224.tif 000005
【図４】
2017025224.tif 000006
【図５】
2017025224.tif 000007